(57)【要約】【課題】整流子と刷子を有する直流電動機の耐用時間を大きくすることが目的である。【解決手段】外筺に固定された第１，第２のプラスチック成型体のそれぞれの内部に並置された２個の空孔と、該空孔に滑動するように挿入して並置された２個の刷子と、該刷子端を整流子に圧接するスプリングと、第１，第２のプラスチック成型体に装着された刷子に供電する電源正負極端子と、並置された隣接する刷子の１つが摩耗すると他の刷子と交替して整流子回転面に摺接せしめるレバー装置とより構成されたものである。【選択図】図３
2013188124.tif 000002
【特許請求の範囲】
【請求項１】
整流子と電機子が回転軸に固定されて同期回転する直流電動機において、直流電動機の外筺に固定されたプラスチック成型により作られた第１，第２の刷子支持体と、第１の刷子支持体に並置して設けられた第１，第２の空孔内に滑動できるように挿入された第１，第２の刷子と、第１，第２の刷子のそれぞれを整流子回転面の回転軸方向に並置して回転面に圧接せしめる第１，第２のスプリングと、第１，第２の空孔に侵入し又は退出できるように該空孔に垂直方向に移動するように設けられたレバーと、該レバーの１端が第２の刷子の端面に当接して第２のスプリングにより該刷子が降下することを抑止し、該レバーの他端が第１の刷子の側面に当接して該刷子が第１のスプリングにより整流子面に圧接することを許容するようにレバーを弾撥して保持する第３のスプリングと、第１の刷子が摩耗して設定されたストロークだけ降下したときに第１の刷子の凹部にレバーが嵌入して移動することにより、レバーによる第２の刷子の抑止作用が解除されて第２の刷子が整流子回転面に第２のスプリングにより圧接される装置と、第１，第２の刷子に直流電源正極より供電する手段と、第１の刷子支持体と全く同じ構成の第２の刷子支持体の２個の刷子に直流電源負極より供電する手段とより構成されたことを特徴とする直流電動機の整流子装置。
【発明の詳細な説明】
【技術分野】
【０００１】耐用時間が大きいことを必要とする装置例えば電動車の駆動源となる電動機に利用される。
【背景技術】
【０００２】特許願平成２年第１８２７４６号により開示された同じ目的の為の技術がある。この出願は本発明と同一出願人によるものである。この技術は大型となり従って小型電動機には適用できない。又構成が錯雑となり高価となる欠点がある。
【発明の概要】
【発明が解決しようとする課題】
【０００３】第１の課題  整流子の摩耗により耐用時間に限界があるので、この限界を数倍越えた耐用時間を得ることが必要である。第２の課題  構成を簡素化し、量産性のあるものとする。
【課題を解決するための手段】
【０００４】整流子と電機子が回転軸に固定されて同期回転する直流電動機において、直流電動機の外筺に固定されたプラスチック成型により作られた第１，第２の刷子支持体と、第１の刷子支持体に並置して設けられた第１，第２の空孔内に滑動できるように挿入された第１，第２の刷子と、第１，第２の刷子のそれぞれを整流子回転面の回転軸方向に並置して回転面に圧接せしめる第１，第２のスプリングと、第１，第２の空孔に侵入し又は退出できるように該空孔に垂直方向に移動するように設けられたレバーと、該レバーの１端が第２の刷子の端面に当接して第２のスプリングにより該刷子が降下することを抑止し、該レバーの他端が第１の刷子の側面に当接して該刷子が第１のスプリングにより整流子面に圧接することを許容するようにレバーを弾撥して保持する第３のスプリングと、第１の刷子が摩耗して設定されたストロークだけ降下したときに第１の刷子の凹部にレバーが嵌入して移動することにより、レバーによる第２の刷子の抑止作用が解除されて第２の刷子が整流子回転面に第２のスプリングにより圧接される装置と、第１，第２の刷子に直流電源正極より供電する手段と、第１の刷子支持体と全く同じ構成の第２の刷子支持体の２個の刷子に直流電源負極より供電する手段とより構成されたものである。
【発明の効果】
【０００５】電動機の耐用時間を大きくすることができ、この為に装着する部材は廉価に作ることができる。従って整流子型の電動機の耐用時間が短い欠点を除去することができる。従って電動ミシン用の駆動源、電気自動車、電気自転車の駆動源として有効な手段を供与できる。
【図面の簡単な説明】
【０００６】
【図１】本発明装置を有する電動機の側面図
【図２】本発明装置を回転軸４の側からみた平面図
【図３】本発明装置の断面図
【発明を実施するための形態】
【０００７】電源正負極より供電される正負の刷子は同じ構成なので正極刷子を例として作用を説明する正極刷子は複数個並置されているが、第１，第２の２個の刷子の場合につき作用を説明する。第１，第２の刷子はスプリングによりそれぞれ弾撥されているが、１個のレバーにより、第１の刷子が整流子に圧接されているときには第２の刷子は該レバーの端部で移動が抑止されている。第１の刷子が摩耗して降下し、設定されたストロークだけ降下すると、降下が停止されると同時に第２の刷子がスプリングにより降下して整流子に圧接される。従って２倍の耐用時間が得られる作用がある。
【実施例】
【０００８】次に実施例につき本発明装置の詳細を説明する。各図面の同一記号のものは同一部材なので重複した説明は省略する。図１は、本発明装置を装着した直流電動機の側面図である。図１において、斜線部１，１ａは円筒型の外筺と側板の断面図である。ボール軸受け３ａ，３ｂにより回転軸４は回動自在に支持され、回転軸４には整流子５ａと電機子５が固定されて同期回転する。電機子コイルは省略して図示していない。【０００９】記号２は円環状の界磁マグネットでフエライトマグネットが使用され、外筐１の内側に固定される。記号Ａ，Ｂは本発明装置のブロック図で、この内側より突出した刷子２個が整流子５ａの回転面に摺接する。記号Ａの刷子と記号Ｂの刷子にはそれぞれ直流電源正負極の出力が供電される。Ａ，Ｂのブロック装置は側板１ａに固着して保持されている。【００１０】Ａ，Ｂのブロック装置は同じ構成なので、正極より供電されるＡブロック装置の説明をする。図２はこれを示すもので、図１のＡブロック装置を整流子５ａの側よりみた平面図である。図３は、図２を点線Ｃで分割した断面を示すものである。図２，図３によりその作用を次に説明する。筺体６はプラスチック成型により作られ、側板は外筺１ａに固定される。金属（銅）製の円筒７ａ，７ｂは空孔となり平行している。円筒７ａ，７ｂの内部には円柱状の刷子８ａ，８ｂが上下に滑動するように挿入され、それ等の上部にはスプリング９ａ，９ｂが設けられて刷子９ａ，９ｂを下方に弾撥している。【００１１】円筒７ａ，７ｂの上端には、導体金属板８が固着されてスプリング９ａ，９ｂに当接する。レバー１０ａには支持体となるレバー１０ｂ，１０ｃが図示のように固定されている。レバー１０ｃは筐体６に固定した支持体１１ａ，１１ｂにより左右に滑動するように支持され、スプリング１２により左方に弾撥されている。図３の刷子８ａの下端が整流子に摺接して摩耗すると、下方に降下し、レバー１０ａが凹部９に当接すると、左方に移動嵌入するので、刷子８ｂの下端よりレバー１０ａが脱出する。従って、刷子８ｂは下方に弾撥されて降下して整流子５ａに摺接するので電源正端子よりの供電が持続される。【００１２】以上の説明より理解されるように、１個の刷子が摩耗すると自動的に次の刷子と交替されるので刷子の耐用時間が２倍となる。同じ構成の刷子を右側に更に１個付設すると耐用時間が３倍となる作用効果がある。各刷子は１個の支持体となる筺体６に収納されているので、電動機本体に装着、取外しの工数が簡単となり、又廉価に作ることができる特徴がある。
【符号の説明】
【００１３】１，１ａ  外筺
２  界磁マグネットの断面
３ａ，３ｂ  ボール軸受
４  回転軸
５  電機子
５ａ  整流子
Ａ，Ｂ  刷子を含むブロック装置
７ａ，７ｂ  円筒
８ａ，８ｂ  刷子
１０ａ，１０ｂ，１０ｃ  レバー
１１ａ，１１ｂ  支持体
９ａ，９ｂ  スプリング
９  凹部
８  導体金属板
【図１】
2013188124.tif 000003
【図２】
2013188124.tif 000004
【図３】
2013188124.tif 000005